(57)【要約】【課題】  スクロール流体機械における旋回スクロールの自転防止偏心軸の中心相互間の距離あるいは旋回スクロールの中心から自転防止偏心軸の中心までの距離が変化しても、ボスに対する位置関係を正しく保ちうるようにする。【解決手段】  旋回スクロール１における旋回端板３の外周に、自転防止用偏心軸８、８ａを枢支するためのボス７を有する複数個の延出片５を設け、これら延出片５の適宜のものに、容易変形部を設けることにより、自転防止用偏心軸８、８ａのボス７に対する関係位置が設計値と異なる状態となっても、自転防止用偏心軸８、８ａのボス７に対する嵌合状態は、自動的に常に正しく保たれるようにする。【選択図】  図２
2006097531.tif 000002
【特許請求の範囲】
【請求項１】
旋回スクロールにおける旋回端板の外周に、自転防止用偏心軸を枢支するためのボスを有する複数個の延出片を設け、これら延出片の適宜のものに、容易変形部を設けることにより、前記自転防止用偏心軸のボスに対する関係位置が設計値と異なる状態となっても、自転防止用偏心軸の前記ボスに対する嵌合状態は、自動的に常に正しく保たれるようにしたことを特徴とするスクロール流体機械における旋回スクロール。
【請求項２】
自転防止用偏心軸のいずれか１本を動力駆動用とし、この偏心軸を枢支する延出片に容易変形部を設けたことを特徴とする請求項１記載のスクロール流体機械における旋回スクロール。
【請求項３】
容易変形部を、延出片と直交する長孔としたことを特徴とする請求項１または２記載のスクロール流体機械における旋回スクロール。
【請求項４】
容易変形部を、延出片と直交する薄肉部としたことを特徴とする請求項１または２記載のスクロール流体機械における旋回スクロール。
【請求項５】
容易変形部を、延出片と直交する可撓部としたことを特徴とする請求項１または２記載のスクロール流体機械における旋回スクロール。
【請求項６】
容易変形部を、多数の弱化孔からなるものとした請求項１または２記載のスクロール流体機械における旋回スクロール。
【発明の詳細な説明】
【技術分野】
【０００１】
本発明は、固定スクロールにおける固定ラップと、偏心軸に枢支した旋回スクロールにおける旋回ラップとを噛み合わせ、旋回スクロールを一定の偏心量で旋回させることにより、外周部より吸入した気体を、中心方向へ行くに従って（またはその逆方向に）、加圧もしくは減圧するようにしたスクロール流体機械における旋回スクロールに関する。
【０００２】
なお、本発明において、スクロール流体機械とは、スクロール圧縮機、スクロール真空ポンプ、スクロール膨張機、スクロール送風機等を総称するものとする。
【背景技術】
【０００３】
まず図１，図２を参照して、本発明の対象とする旋回スクロールを備えるスクロール流体機械の一例としてのスクロール圧縮機の基本的構成について、簡単に説明する。なお、図１における左方を前、右方を後とする。
【０００４】
旋回スクロール(１)は内側面に多数の冷却フィン(２)を備える旋回端板(３)の外側面に旋回ラップ(４)を立設して形成され、その径方向の外側には、ほぼ等間隔をもって、複数（通常は３個、２個とすることもある）の延出片(５)が突設されている。
【０００５】
各延出片(５)の先端には、板面と直交する軸孔(６)を有するボス(７)が設けられ、各軸孔(６)には、公知のクランクピン型式の自転防止用偏心軸(８)(8a)が、ボールベアリング(９)を介して嵌入されている。
【０００６】
下方の自転防止用偏心軸(8a)は、図示しない適宜の動力をもって駆動されるようになっている。
【０００７】
なお旋回スクロール(１)は、軸線方向に２分割したものを、適宜突き合わせて締付けて構成されているが、この構成自体は、本発明と無関係であるので、その図示および説明を省略する。
【０００８】
旋回スクロール(１)の前後両面には、外側面に多数の冷却フィン(10)を突設した固定端板(11)の内面に固定ラップ(12)を突設した固定スクロール(13)(13)が重合され、対向する旋回ラップ(４)と固定ラップ(12)は噛み合わされて、旋回ラップ(４)と固定ラップ(12)の間に複数の三日月状の密閉室が形成されている。
【０００９】
上記ボス(７)から突出する自転防止用偏心軸(８)の両端は、固定端板(11)と一体をなす軸受(14)(15)に枢支されている。
【００１０】
上記下方の自転防止用偏心軸(8a)を適宜動力をもって回転させると、旋回スクロール(１)は両固定スクロール(13)(13)の間で偏心的に旋回し、その旋回方向に応じて、前記密閉室の容積を、求心方向に漸次減少させるか、逆に遠心方向に漸次増大させることにより、外周部から吸引した流体を、圧縮させつつ中心部へ導くか、あるいは中心部から吸引した流体を、減圧して外周部から吐出させる。
【００１１】
これらいずれのものにおいても、製作上、あるいは周辺温度の変化や使用条件もしくは設置姿勢等により、３本の自転防止用偏心軸(８)(8a)の相対位置、あるいはそれらと旋回スクロール(１)の中心との関係位置または距離あるいは傾斜が、設計値通りに保たれなくなることがある。
【００１２】
これは、多くの場合、自転防止用偏心軸の軸受部の偏摩耗や傾斜に基くものであるが、このようになると、いずれか、もしくはすべての自転防止用偏心軸のボスに対する負荷や側圧が不均一となって、その偏摩耗がさらに進行したり、偏荷重が発生したりして、性能や耐久性が低下し、また騒音を発するようになる。
【００１３】
このような自転防止偏心軸の中心相互間の距離あるいは旋回スクロールの中心から自転防止偏心軸の中心までの距離が変化しても、ボスに対する位置関係を正しく保つことができれば、性能や耐久性の向上に資しうることは明らかである。
【発明の開示】
【発明が解決しようとする課題】
【００１４】
本発明は、このような観点からなされたものであり、その具体的手段は、特許請求の範囲の各請求項に記載されている通りであり、次にこれを列記する。
【課題を解決するための手段】
【００１５】
(１)  旋回スクロールにおける旋回端板の外周に、自転防止用偏心軸を枢支するためのボスを有する複数個の延出片を設け、これら延出片の適宜のものに、容易変形部を設けることにより、前記自転防止用偏心軸のボスに対する関係位置が設計値と異なる状態となっても、自転防止用偏心軸の前記ボスに対する嵌合状態は、自動的に常に正しく保たれるようにする。
【００１６】
(２)  上記(１)項において、自転防止用偏心軸のいずれか１本を動力駆動用とし、この偏心軸を枢支する延出片に容易変形部を設ける。
【００１７】
(３)  上記(１)項または(２)項において、容易変形部を、延出片と直交する長孔とする。
【００１８】
(４)  上記(１)項または(２)項において、容易変形部を、延出片と直交する薄肉部とする。
【００１９】
(５)  上記(１)項または(２)項において、容易変形部を、延出片と直交する可撓部とする。
【００２０】
(６)  上記(１)項または(２)項において、容易変形部を、多数の弱化孔からなるものとする。
【発明の効果】
【００２１】
請求項１の発明：−自転防止用偏心軸のボスに対する関係位置が設計値と相違する状態となっても、上記偏心軸のボスに対する嵌合状態は、常に正しく保たれる。
【００２２】
請求項２の発明：−駆動用であるため、大きな応力や側圧が作用して、自転防止用偏心軸のボスに対する関係位置が設計値と異なる状態となることは多いが、延出片は、その延出方向および側方向に変形可能であるとともに、捩れも可能であるので、上記偏心軸のボスに対する嵌合状態は常に正しく保たれる。
【００２３】
請求項３の発明：−ボスの軸線を、容易にあらゆる方向に傾けることができる。また、孔内を冷却風が通ることにより、旋回スクロールより軸受に伝達される熱は低減され、軸受の寿命の向上が図れる。
【００２４】
請求項４の発明：−孔がないため、油やほこりが溜ったりすることはない。
【００２５】
請求項５の発明：−変形量を大きくすることができる。
【００２６】
請求項６の発明：−容易変形部の形成が容易である。また、孔内を冷却風が通ることにより、旋回スクロールより軸受に伝達される熱は低減され、軸受の寿命の向上が図れる。
【発明を実施するための最良の形態】
【００２７】
図１に示す本発明においては、上記延出片(５)に、その延出方向と直交する長孔(16)を穿設して、この部分を容易変形部としてある。
【００２８】
従って、軸孔(６)(６)の相互間の距離、あるいは軸孔(６)と旋回端板(３)の中心との距離が設計値と相異しているとき、あるいは使用中または周辺温度の変化等により、前記距離が設計値と相異することとなったときにおいても、各ボス(７)は、常に自転防止用偏心軸(８)(8a)を、適正にかつ偏りなく枢支するので、性能が低下したり、摩耗が早まったり、騒音や熱を発したりすることはない。
【００２９】
図３〜図５は、延出片(５)における容易変形部の異なる例を示し、図３では薄肉部(17)、図４では可撓部(18)、図５では多数の小孔(19)としてある。
【図面の簡単な説明】
【００３０】
【図１】本発明の一実施形態である旋回スクロールを備えるスクロール流体機械を例示する縦断側面図である。
【図２】旋回スクロールの正面図である。
【図３】容易変形部の異なる例を示す要部正面図である。
【図４】容易変形部のさらに異なる例を示す要部正面図である。
【図５】容易変形部のさらに異なる例を示す要部正面図である。
【符号の説明】
【００３１】
(１)旋回スクロール
(２)冷却フィン
(３)旋回端板
(４)旋回ラップ
(５)延出片
(６)軸孔
(７)ボス
(８)(8a)自転防止用偏心軸
(９)ボールベアリング
(10)冷却フィン
(11)固定端板
(12)固定ラップ
(13)固定スクロール
(14)(15)軸受
(16)長孔
(17)薄肉部
(18)可撓部
(19)小孔
【図１】
2006097531.tif 000003
【図２】
2006097531.tif 000004
【図３】
2006097531.tif 000005
【図４】
2006097531.tif 000006
【図５】
2006097531.tif 000007